(57)【要約】【課題】  １つの器具で５種類の料理用計量スプーンの分量を量ることができ、計量スプーンの調味料計量を簡単で早いものにする一体型計量スプーンを提供する。【解決手段】  透明なコップ型容器５に、料理用計量スプーンの大さじ用目盛６ａと中さじ用目盛７ａと小さじ用目盛８ａをもうけ、大さじ、中さじ、小さじのそれぞれの１杯分、２杯分、３杯分・・・に相当する位置に計量線９をつけ横に何杯分かを示す数字を入れ、それぞれの２分の１、１杯と２分の１、２杯と２分の１・・・に相当する位置にも２分の１の計量線１０をつけて、さらに、大さじ用目盛６ａを真正面にし透明なコップ型容器越しに見た時、容器のちょうど真後ろに当たる、手前正面の目盛と重なる位置に、大さじ用目盛６ａの計量線と同じ大さじ用目盛６ｂをもうけ、同様にして、中さじ用目盛７ｂと小さじ用目盛８ｂをもうける。【選択図】  図２
2005104583.tif 000002
【特許請求の範囲】
【請求項１】
透明なコップ型容器５に、料理用計量スプーンの大さじ用目盛６ａと中さじ用目盛７ａと小さじ用目盛８ａをもうけ、大さじ、中さじ、小さじのそれぞれの１杯分、２杯分、３杯分・・・に相当する位置に計量線９をつけ横に何杯分かを示す数字を入れ、それぞれの２分の１、１杯と２分の１、２杯と２分の１・・・に相当する位置にも２分の１の計量線１０をつけて、さらに、大さじ用目盛６ａを真正面にし透明なコップ型容器越しに見た時、容器のちょうど真後ろに当たる、手前正面の目盛と重なる位置に、大さじ用目盛６ａの計量線と同じ大さじ用目盛６ｂをもうけ、同様にして、中さじ用目盛７ｂと小さじ用目盛８ｂがもうけられている、料理用の一体型計量スプーン。
【請求項２】
コップ型容器５に、注ぎ口１２をもうけ、蓋１１を取り付けた、請求項１の一体型計量スプーン。
【請求項３】
コップ型容器５の内側に、ねじ１３等をもうけ醤油、味醂、酢といった調味料のボトルのキャップとして利用できる、請求項１の一体型計量スプーン。
【発明の詳細な説明】
【技術分野】
【０００１】  本発明は、５種類ある料理用計量スプーンを１つの器具にし、計量スプーンの調味料計量を簡単で早いものにしようとしたものである。
【背景技術】
【０００２】  通常、市販の料理テキストのレシピには、醤油、味醂、砂糖といった調味料の分量は、例えば、「醤油大さじ２杯半」「味醂小さじ１杯」というように、料理用計量スプーンを基にして何杯分であるかで記述されている。市販されている料理用計量スプーンは、柄１の先端に、さじ容器部分２をもうけた形をしており、さじ容器部分２のフチ３ぎりぎりにまで調味料を入れて「１杯分」とし、容量によって、「大さじ」、「中さじ」、「小さじ」、「大さじ２分の１」、「小さじ２分の１」の５種類の計量スプーンがある。そして、例えば上記のレシピに従って調味料を準備しようとすると、まずは、５種類ある計量スプーンの中から「大さじ」を用意し、醤油を大さじすり切り一杯注ぎ、別の器に移し、再び大さじ一杯を注いで又移し、次には、「大さじ２分の１」の計量スプーンを用意して、さじ一杯に注ぎ別の器に移し、これで「醤油大さじ２杯半」が準備できるのだが、さらには、「小さじ」を用意し、味醂を小さじ一杯注いで移す、というような一連の作業が料理をする際に必要であった。【０００３】  このように、例えば醤油１つの調味料であっても「大さじ」と「大さじ２分の１」の２本の計量スプーンが必要であり、さらに別の調味料に「小さじ」を必要としたり、５種類ある計量スプーンの中から使い分けしなければならず、大変面倒なことであった。【０００４】  また、調味料を数杯分必要とする場合、従来の料理用計量スプーンは、一度に１杯分の分量しか計量できないため、調味料を計量スプーンに入れては移すという同じ作業を何度か繰り返さなければならず手間がかかった。【０００５】  さらに、従来型計量スプーンは、さじ容器部分２のフチ３ぎりぎりのラインが各計量スプーンの１杯分に相当する計量線４となっているため、調味料を入れた時に容器部分に余裕がなく、醤油、味醂といった液体調味料を入れる際には、こぼれ易く、扱いにくいものであった。
【発明の開示】
【発明が解決しようとする課題】
【０００６】  本発明は、５種類ある料理用計量スプーンを１つの器具にし、計量スプーンの調味料計量を簡単で早いものにしようとするものである。
【課題を解決するための手段】
【０００７】  本発明は、透明なコップ型の容器５に、料理用計量スプーンの大さじ用目盛６ａと中さじ用目盛７ａと小さじ用目盛８ａをもうけ、大さじ、中さじ、小さじのそれぞれの１杯分、２杯分、３杯分・・・に相当する位置に計量線９をつけ横に何杯分かを示す数字を入れ、それぞれの２分の１、１杯と２分の１、２杯と２分の１・・・に相当する位置にも２分の１の計量線１０をつける。さらに、大さじ用目盛６ａを真正面にし透明なコップ型の容器越しに見た時、容器のちょうど真後ろに当たる、手前正面の目盛と重なる位置に、大さじ用目盛６ａの計量線と同じ大さじ用目盛６ｂをもうけ、同様にして、中さじ用目盛７ｂと小さじ用目盛８ｂをもうける。こうして、例えば、「醤油大さじ２杯半」を必要とした場合、大さじ用目盛６ａ、６ｂの２杯半の計量線と重なる位置にまで醤油を一度に入れればすみ、あるいは「味醂小さじ１杯」であれば、小さじ用目盛８ａ、８ｂの１杯の計量線にまで味醂を入れればよいのである。
【発明の効果】
【０００８】  本発明によって、従来は、５種類の計量スプーンを使い分けしなければならず面倒であったが、本発明の器具を１つ用意すれば５種類の分量を量ることができるようになって、計量スプーンの調味料計量が簡単で楽なものになった。【０００９】  また、従来型計量スプーンは、１杯分を上限としていたため、数杯分の調味料を必要とする場合、何度も入れたり移したりしなければならず手間がかかったが、本発明により、数杯分を入れる容器の大きさがあって、透明な容器に何杯分に相当するのかを示す計量線がつけられているので、計量線を目印に一度に計量スプーンの数杯分をまとめて量ることができるようになり、以前のような面倒な手間が省かれた。【００１０】  さらに、本発明に必要分量の調味料を入れても容器は計量線以上の大きさの余裕があるので、さじ容器部分２のフチ３ぎりぎりを計量線４としていた従来型計量スプーンのように、液体調味料を入れた際、こぼれるという心配がなくなった。【００１１】  従来型計量スプーンは、さじ容器部分２で１杯分の調味料を計量する利用に限られていたが、本発明は、コップ型で数杯分を入れる容器の大きさがあるので、計量したいくつかの調味料を混ぜ合わせドレッシング等を作る器としての利用も可能となり、蓋１１を取り付けた一体型計量スプーンだと、計量し混ぜ合わせ残ったドレッシングにそのまま蓋をして保存しておくこともできるようになって便利である。【００１２】  醤油、味醂といった調味料のボトルのキャップのサイズに合わせ、内側にねじ１３等をもうけた一体型計量スプーンであれば、ボトルのキャップを開けたその手で調味料を量ることができ、わざわざ計量スプーンの器具を出してくる手間が省け、計量スプーンのさらに迅速な計量が可能となって便利である。
【実施例１】
【００１３】  本発明は、調味料を注ぎやすくするために、コップ型容器に注ぎ口１２をつけてもよいし、また、計量した数種類の調味料を混ぜ合わせたり、そのまま保存したりするのに便利なように蓋１１を取り付けてもよい。
【実施例２】
【００１４】  本発明は、大さじ用目盛６ａ、６ｂと中さじ用目盛７ａ、７ｂと小さじ用目盛８ａ、８ｂの３種類の目盛を同じ色で表示してもかまわないが、分かりやすくするために、３種類それぞれ別の色にしてもよい。
【実施例３】
【００１５】  本発明は、コップ型容器を醤油、味醂、酢といった調味料のボトルのキャップのサイズに合わせ、内側にねじ１３等をもうけボトルにとめられるようにし、キャップを開けたその手で調味料の計量が可能となるように、調味料のボトルのキャップとして利用できるようにしてもよい。
【図面の簡単な説明】
【００１６】
【図１】従来型計量スプーンの断面図である。
【図２】一体型計量スプーンの斜視図である。
【図３】一体型計量スプーンの平面図である。
【図４】蓋と注ぎ口をもうけた一体型計量スプーンの斜視図である。
【図５】内側にねじをもうけたキャップ式の一体型計量スプーンの斜視図である。
【符号の説明】
【００１７】１    柄
２    容器部分
３    フチ
４    計量線
５    コップ型容器
６ａ  大さじ用目盛ａ
６ｂ  大さじ用目盛ｂ
７ａ  中さじ用目盛ａ
７ｂ  中さじ用目盛ｂ
８ａ  小さじ用目盛ａ
８ｂ  小さじ用目盛ｂ
９    何杯分かを示す計量線
１０  ２分の１の計量線
１１  蓋
１２  注ぎ口
１３  ねじ
【図１】
2005104583.tif 000003
【図２】
2005104583.tif 000004
【図３】
2005104583.tif 000005
【図４】
2005104583.tif 000006
【図５】
2005104583.tif 000007